(57)【特許請求の範囲】
【請求項１】
回転する複数の搬送ローラを水平面内にて縦列方向に対向配置し、該搬送ローラの上面に供給されたプリント配線板をローラの回転により縦列方向に搬送するプリント配線板の搬送方法において、
搬送ローラの上方に、上下動及び搬送ローラの回転に対して従動回転自在、かつ対向する搬送ローラの外側にそれる角度にて配置した補助ローラの自重にて、該搬送ローラの上面に供給されたプリント配線板の平行する２辺を挟持するとともに、プリント配線板を対向する搬送ローラの外側に引張しつつ搬送することを特徴とするプリント配線板の搬送方法。
【請求項２】
回転する複数の搬送ローラを水平面内にて縦列方向に対向配置し、該搬送ローラの上面に供給されたプリント配線板をローラの回転により縦列方向に搬送するプリント配線板の搬送装置において、
搬送ローラの上方に、上下動及び搬送ローラの回転に対して従動回転自在、かつ対向する搬送ローラの外側にそれる角度にて配置し、該搬送ローラの上面に供給されたプリント配線板の平行する２辺を挟持するとともに対向する搬送ローラの外側に引張しつつ搬送する補助ローラを設けたことを特徴とするプリント配線板の搬送装置。
【請求項３】
リンク機構を介して前記補助ローラを上下動自在に、かつ自重にてプリント配線板を搬送ローラとの間にて挟持することを可能に構成したことを特徴とする請求項２記載のプリント配線板の搬送装置。
【請求項４】
前記搬送ローラの外径を、プリント配線板を挟持しつつ搬送する部分の外径に比べて、対向する搬送ローラの外側に位置する外径が大径である２段の外径に形成したことを特徴とする請求項２記載のプリント配線板の搬送装置。
【発明の詳細な説明】
【０００１】
【発明の属する技術分野】
本発明は、プリント配線板を水平面内にて搬送する搬送方法及び装置に関する。
【０００２】
【従来の技術】
この種の搬送装置の例としては、図６に示すような縦列に配置した複数のベルトユニットから成る搬送装置や、図７に示すような串刺しローラを横列に配置した搬送装置などが知られている。
【０００３】
【発明が解決しようとする課題】
しかしながら、前記両者の搬送装置は、プリント配線板１をベルト２の面、またはローラ３の面に乗せて搬送する方法であり、プリント配線板の配線部分１ａの面がベルトやローラに接することにより、接した部分に傷がついたり、汚れたりするばかりでなく、例えばプリント配線板の表裏面にＵＶ光線を照射して乾燥させる乾燥炉内に搬送する場合においては、ベルト２やローラ３がＵＶ光線照射の影になるという問題がある。その他に、特にベルトによる搬送装置の場合には、各ベルトユニットが単独駆動方式であるためにユニット間に速度差が生じ、この速度差にて搬送するプリント配線板にスリップが生じて傷がつくという問題がある。
【０００４】
よって本発明は前記問題点に鑑みてなされたものであり、プリント配線板の配線部分を非接触にして搬送することが可能な搬送方法と装置の提供を目的とする。
【０００５】
【課題を解決するための手段】
上記目的を達成するため、本発明の、
請求項１は、回転する複数の搬送ローラを水平面内にて縦列方向に対向配置し、該搬送ローラの上面に供給されたプリント配線板をローラの回転により縦列方向に搬送するプリント配線板の搬送方法において、
搬送ローラの上方に、上下動及び搬送ローラの回転に対して従動回転自在、かつ対向する搬送ローラの外側にそれる角度にて配置した補助ローラの自重にて、該搬送ローラの上面に供給されたプリント配線板の平行する２辺を挟持するとともに、プリント配線板を対向する搬送ローラの外側に引張しつつ搬送することを特徴とする。
本請求項では、特に薄くて撓みやすいプリント配線板を搬送する際に、プリント配線板の平行する２辺を補助ローラにて挟持し、対向する搬送ローラの外側にそれる角度にて取り付けた補助ローラにてプリント配線板中央部のたるみを防止する方向に常に引張しつつ搬送することにより、配線部分を非接触な状態にて搬送することが可能となる。
請求項２は、回転する複数の搬送ローラを水平面内にて縦列方向に対向配置し、該搬送ローラの上面に供給されたプリント配線板をローラの回転により縦列方向に搬送するプリント配線板の搬送装置において、
搬送ローラの上方に、上下動及び搬送ローラの回転に対して従動回転自在、かつ対向する搬送ローラの外側にそれる角度にて配置し、該搬送ローラの上面に供給されたプリント配線板の平行する２辺を挟持するとともに対向する搬送ローラの外側に引張しつつ搬送する補助ローラを設けたことを特徴とする。
本請求項では、前記請求項１と同様な作用効果が得られる。
請求項３は、リンク機構を介して前記補助ローラを上下動自在に、かつ自重にてプリント配線板を搬送ローラとの間にて挟持することを可能に構成したことを特徴とする。
本請求項では、リンク機構を介して補助ローラの上下動を自在にしたことにより、補助ローラの自重にてプリント配線板を挟持することが可能となり、かつ回転が自在であることにより搬送ローラの回転に従動してプリント配線板を挟持しつつ搬送することが可能となる。
請求項４は、前記搬送ローラの外径を、プリント配線板を挟持しつつ搬送する部分の外径に比べて、対向する搬送ローラの外側に位置する外径が大径である２段の外径に形成したことを特徴とする。
本請求項では、補助ローラが対向する搬送ローラの外方向にそれた角度にて回転しても、補助ローラは搬送ローラの大径部側面に当接することにより、位置のずれを制約しつつ従動回転させることができる。
【０００６】
【発明の実施の形態】
以下、本発明の実施の形態を図面に基づいて説明する。
図１から図５は本発明の実施の形態を示し、図１は搬送装置の要部を示す平面図、図２は搬送ローラの要部を端面から見た図、図３は搬送ローラと補助ローラとの相対位置関係を示す斜視図、図４は補助ローラをリンク機構に取り付けた斜視図、図５は搬送ローラと補助ローラとの相対的角度と力関係を示す図である。
【０００７】
本発明の搬送装置は、図１に示すように、水平面内にて縦列方向に対向配置した複数の搬送ローラ４にてプリント配線板１を乾燥炉の一方の側から搬入し、乾燥炉内を通過させつつ連続的に乾燥して他方の側に搬出するものである。この搬送装置に設けられた搬送ローラ４は、図２及び図３に示すように、縦列の対向面側の径、即ち、補助ローラ５にてプリント配線板１を挟持しつつ搬送する部分の外径４ａに比べて外側に位置する外径４ｂを大きくした２段の外径に形成し、外径４ａに対向する補助ローラ５の向きは、対向する搬送ローラ４の外方向にそれる角度α（図１）に設定している。
【０００８】
また、この補助ローラ５は、図４に示すように、搬送装置の図示しない本体側に固定した支持捍６に対してピン９を介して回転自在に構成したリンクリンク８の他端に軸７を介して回転自在に取り付けることにより上下動自在に構成しており、これにより自重にて搬送ローラ４の外周４ａとの間にてプリント配線板１を挟持しつつ搬送ローラ４の回転に従動して回転することが可能となっている。
なお、前記複数の搬送ローラ４それぞれの駆動は、図示しない駆動源によりチェーンを介して等速度にて連動回転する構成となっている。また、角度αは、プリント配線板を挟持しつつ対向する搬送ローラ４の外方向に引張する力を発揮させるに必要な補助ローラ５の自重と摩擦力の相対的関係において設定されるべきものである。
【０００９】
この構成の搬送装置にてプリント配線板を搬送する場合は、図２に示すように、ローラ４の外径４ａ上に供給されたプリント配線板１の平行する２辺を、搬送ローラ４と補助ローラ５との間にて補助ローラ５の自重にて挟持するとともに、搬送ローラ４の駆動回転により補助ローラ５が従動回転しつつプリント配線板１を矢印１２の方向に搬送を開始する。
【００１０】
この時、搬送方向の力と直交するプリント配線板１の引張力は、図５に示すように、搬送ローラ４の回転方向の力をＡ，補助ローラ５の回転方向の力をＢとし、そのなす角度をαとした場合に、プリント配線板１を外方向の引張する力Ｔは、
Ｔ＝Ｂｓｉｎα
となり、搬送中は縦列方向に対向配置した搬送ローラ４それぞれに配置した複数の補助ローラ５がプリント配線板１をＴの力にて引張してプリント配線板１の中央部のたるみをなくする方向に力が作用する。これにより薄くて撓みやすいプリント配線板１であっても撓みによって脱落することなく搬送することが可能となる。
【００１１】
また、補助ローラ５はリンク機構１３にて支えられているので、プリント配線板１の厚さの変動には無関係に追従した挟持することが可能であり、しかも補助ローラ５が角度αの方向に回転しても、外径を２段に形成した搬送ローラ４の外側の大径部４ｂにて補助ローラ５の水平方向のずれが拘束され、側方に引張する力は補助ローラ５のスリップにより常に一定の引張力Ｔを発揮することが可能となる。
【００１２】
なお、乾燥炉内には図２に示すようにプリント配線板１の上下面を同時に乾燥するＵＶ光線１０の図示しない照射装置が設けられている。
以上述べたように、本発明の装置ではプリント配線板１の平行する２辺のみを挟持して搬送することにより、プリント配線板１の配線部分１ａに接触するものがなく、即ち、無接触状態にて搬送することが可能となる。これにより配線部分１ａに埃や傷が着かないととともに、ＵＶ光線照射の影になる障害物も存在しなくなり、プリント配線板の全面を平均に乾燥させることが可能となる。
【００１３】
【発明の効果】
本発明によれば、対向配置した搬送ローラとその搬送方向に対して外方向にαの角度をなして回転する補助ローラとによりプリント配線板の平行する２辺を挟持するとともに外方向に引張しつつ搬送することが可能となる。これにより薄くて撓みやすいプリント配線板の配線部分を非接触にて搬送することが可能となる。これにより、従来の搬送装置のようにベルトやローラが配線部分に接触することによる傷や汚れの問題がなくなり、またベルトやローラがＵＶ光線照射の障害になって乾燥が不均一になることもない。
また、プリント配線板を補助ローラの自重による一定の圧力にて挟持しているので、プリント配線板に常に安定した引張力を付与することができるとともに、プリント配線板の厚さの変化に追従して挟持しかつ従動回転しつつ搬送することが可能となる。
【図面の簡単な説明】
【図１】本発明の実施の形態に係る搬送装置の要部を示す平面図。
【図２】搬送装置の要部を端面から見た図。
【図３】搬送ローラと補助ローラとの相対位置関係を示す斜視図。
【図４】補助ローラとリンク機構の斜視図。
【図５】搬送ローラと補助ローラとの相対的角度と力関係を示す図。
【図６】従来の搬送装置の説明図。
【図７】従来の搬送装置の説明図。
【符号の説明】
１  プリント配線板
２  ベルト
４  搬送ローラ
５  補助ローラ
６  支持捍
７  回転軸
８  リンク
９  ピン
１０  ＵＶ光線
１２  搬送方向
１３  リンク機構
【図１】
0003836222.tif 000002
【図２】
0003836222.tif 000003
【図３】
0003836222.tif 000004
【図４】
0003836222.tif 000005
【図５】
0003836222.tif 000006
【図６】
0003836222.tif 000007
【図７】
0003836222.tif 000008